【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
光学素子と、
前記光学素子の表面に沿って冷却空気を送風する冷却装置と、を備え、
前記光学素子は、互いに対向する第１端縁部及び第２端縁部を有し、
前記冷却装置は、前記第１端縁部側から前記第２端縁部側に向い、かつ、互いに交差する第１送風方向及び第２送風方向に沿ってそれぞれ冷却空気を送風する
ことを特徴とするプロジェクター。
【請求項２】
請求項１に記載のプロジェクターにおいて、
前記第１送風方向及び前記第２送風方向が交差する角度は、４５度以下である
ことを特徴とするプロジェクター。
【請求項３】
請求項１または請求項２に記載のプロジェクターにおいて、
前記第１送風方向及び前記第２送風方向は、前記第１端縁部及び前記第２端縁部の各中心位置を結ぶ中心線に対して対称となるように設定されている
ことを特徴とするプロジェクター。
【請求項４】
請求項１から請求項３のいずれかに記載のプロジェクターにおいて、
前記第１送風方向及び前記第２送風方向に沿ってそれぞれ送風された冷却空気の交差位置は、前記光学素子の表面の中心位置に対して冷却空気の上流側に位置するように設定されている
ことを特徴とするプロジェクター。
【請求項５】
請求項１から請求項４のいずれかに記載のプロジェクターにおいて、
前記冷却装置は、前記第１送風方向及び前記第２送風方向に沿う冷却空気を前記光学素子の前記第１端縁部に向けて送風する
ことを特徴とするプロジェクター。
【請求項６】
請求項１から請求項５のいずれかに記載のプロジェクターにおいて、
前記冷却装置は、前記第１送風方向及び前記第２送風方向に沿う冷却空気を前記光学素子の光入射側に送風する
ことを特徴とするプロジェクター。
【請求項７】
請求項６に記載のプロジェクターにおいて、
前記冷却装置は、前記第１端縁部側から前記第２端縁部側に向う第３送風方向に沿って前記光学素子の光出射側に冷却空気を送風する
ことを特徴とするプロジェクター。
【請求項８】
請求項１から請求項７のいずれかに記載のプロジェクターにおいて、
前記冷却装置は、一端側から導入した冷却空気を前記光学素子に導く第１ダクト及び第２ダクトを備え、
前記第１ダクト及び前記第２ダクトは、他端側において連通するとともに、前記第１送風方向及び前記第２送風方向に沿ってそれぞれ冷却空気を流出させる第１流出口及び第２流出口を有する
ことを特徴とするプロジェクター。
【手続補正２】
【補正対象書類名】明細書
【補正対象項目名】０００７
【補正方法】変更
【補正の内容】
【０００７】
本発明のプロジェクターは、光学素子と、前記光学素子の表面に沿って冷却空気を送風する冷却装置と、を備え、前記光学素子は、互いに対向する第１端縁部及び第２端縁部を有し、前記冷却装置は、前記第１端縁部側から前記第２端縁部側に向い、かつ、互いに交差する第１送風方向及び第２送風方向に沿ってそれぞれ冷却空気を送風することを特徴とする。
【手続補正３】
【補正対象書類名】明細書
【補正対象項目名】０００８
【補正方法】変更
【補正の内容】
【０００８】
本発明では、冷却装置は、光学素子の表面に沿って冷却空気を送風する際、互いに交差する第１送風方向及び第２送風方向に沿ってそれぞれ冷却空気を送風する。
このことにより、各送風方向に沿ってそれぞれ送風された冷却空気は、衝突することとなり、当該衝突により乱流が生じる。このため、光学素子の表面と冷却空気との熱交換効率を増加させることができ、光学素子を効果的に冷却できる。
【手続補正４】
【補正対象書類名】明細書
【補正対象項目名】０００９
【補正方法】変更
【補正の内容】
【０００９】
ところで、冷却装置から光学素子への冷却空気の送風方向（２つの送風方向）としては、例えば、以下の送風方向が考えられる。
すなわち、光学素子の一の端縁部から冷却空気を送風するとともに、前記一の端縁部に交差する他の端縁部から冷却空気を送風する。
ここで、２つの送風方向が交差する角度（衝突角度）が大きい場合、送風された冷却空気は、光学素子を冷却した後、大きく広がって流通することとなる。このため、光学素子を冷却した後の温度の高い冷却空気が他の光学素子に回り込み、他の光学素子の温度上昇を引き起こす恐れがある。よって、２つの送風方向が交差する角度（衝突角度）を小さくすることが必要であるが、２つの送風方向を上記のように設定して衝突角度を小さくすると衝突後の流速の速い冷却空気が流れる領域が、発熱量の高い光学素子の中心から外れてしまい冷却効率が下がってしまう。
【手続補正５】
【補正対象書類名】明細書
【補正対象項目名】００１０
【補正方法】変更
【補正の内容】
【００１０】
本発明では、第１送風方向及び第２送風方向は、光学素子における互いに対向する第１端縁部及び第２端縁部のうち第１端縁部側から第２端縁部側に向うように設定されている。
このことにより、第１送風方向及び第２送風方向が交差する角度（衝突角度）を小さくしても衝突後の流速の速い冷却空気が流れる領域を、発熱量の高い光学素子の中心の周囲とすることが容易になり冷却効率が向上する。また、光学素子を冷却した後の冷却空気も狭い所定の範囲内に向けて流通させることができる。このため、光学素子を冷却した後の温度の高い冷却空気が他の光学素子に回り込むことを防止でき、他の光学素子の温度上昇を引き起こす恐れもない。
本発明のプロジェクターでは、前記第１送風方向及び前記第２送風方向が交差する角度は、４５度以下であることが好ましい。
【手続補正６】
【補正対象書類名】明細書
【補正対象項目名】００１１
【補正方法】変更
【補正の内容】
【００１１】
本発明のプロジェクターでは、前記第１送風方向及び前記第２送風方向は、前記第１端縁部及び前記第２端縁部の各中心位置を結ぶ中心線に対して対称となるように設定されていることが好ましい。
本発明によれば、第１送風方向及び第２送風方向が上述したように設定されているので、光学素子の表面全体に沿って冷却空気を送風でき、光学素子全体をバランスよく冷却できる。
【手続補正７】
【補正対象書類名】明細書
【補正対象項目名】００１２
【補正方法】変更
【補正の内容】
【００１２】
本発明のプロジェクターでは、前記第１送風方向及び前記第２送風方向に沿ってそれぞれ送風された冷却空気の交差位置は、前記光学素子の表面の中心位置に対して冷却空気の上流側に位置するように設定されていることが好ましい。
本発明では、第１送風方向及び第２送風方向に沿ってそれぞれ送風された冷却空気の交差位置が上述した位置に設定されているので、光学素子の表面の中心位置よりも上流側の位置（送風される冷却空気の上流側の位置）で冷却空気が衝突することとなる。このため、発熱量の高い光学素子の表面の中心を衝突後の流速の速い冷却空気によって冷却でき、光学素子をさらに効果的に冷却できる。
【手続補正８】
【補正対象書類名】明細書
【補正対象項目名】００１３
【補正方法】変更
【補正の内容】
【００１３】
本発明のプロジェクターでは、前記冷却装置は、前記第１送風方向及び前記第２送風方向に沿う冷却空気を前記光学素子の前記第１端縁部に向けて送風することが好ましい。
本発明のプロジェクターでは、前記冷却装置は、前記第１送風方向及び前記第２送風方向に沿う冷却空気を前記光学素子の光入射側に送風することが好ましい。
本発明のプロジェクターでは、前記冷却装置は、前記第１端縁部側から前記第２端縁部側に向う第３送風方向に沿って前記光学素子の光出射側に冷却空気を送風することが好ましい。
【手続補正９】
【補正対象書類名】明細書
【補正対象項目名】００１４
【補正方法】変更
【補正の内容】
【００１４】
本発明のプロジェクターでは、前記冷却装置は、一端側から導入した冷却空気を前記光学素子に導く第１ダクト及び第２ダクトを備え、前記第１ダクト及び前記第２ダクトは、他端側において連通するとともに、前記第１送風方向及び前記第２送風方向に沿ってそれぞれ冷却空気を流出させる第１流出口及び第２流出口を有することが好ましい。
ところで、特許文献１に記載されたダクトを採用した場合には、冷却空気は、ダクトの他端の壁面に衝突することで、壁面で摩擦が発生するため、圧力損失により冷却空気の流速が低下する。そして、冷却空気の流速が低下することに伴って、流出口から流出する冷却空気の流量も減少し、光学素子に対して十分な流量の冷却空気を流出できず、光学素子を良好に冷却することが難しい。
本発明では、冷却装置は、他端側において連通する第１ダクト及び第２ダクトを備える。
このことにより、第１ダクト及び第２ダクトにおいて、各一端側から導入された冷却空気は、他端側において互いに衝突することで、流路方向を変更し、第１流出口及び第２流出口を介して第１送風方向及び第２送風方向に沿ってそれぞれ流出することとなる。
すなわち、各ダクト内部において各冷却空気を衝突させることで流路方向を変えているので、特許文献１に記載の壁面等に衝突させて流路方向を変えるダクトを採用した場合と比較して、冷却空気の圧力損失を抑制でき、流速の低下を抑制できる。このため、各冷却空気の衝突後も流速を維持した状態で、冷却空気が各流出口から光学素子へ導かれる。
したがって、光学素子に導かれる冷却空気の流量が減少することがないので、光学素子に十分な流量の冷却空気を導くことができ、光学素子をさらに効果的に冷却できる。
【手続補正１０】
【補正対象書類名】明細書
【補正対象項目名】００１５
【補正方法】変更
【補正の内容】
【００１５】
なお、前記第１ダクト及び前記第２ダクトは、直線状に連通するように形成されていてもよい。
例えば、第１ダクト及び第２ダクトの一端側から導入された各冷却空気が斜め方向等から互いに衝突する場合、冷却空気の一部がダクトの壁面まで流れて壁面で流路方向を変えて、各流出口から光学素子に向けて流出する。このため、壁面で摩擦が発生し、圧力損失により冷却空気の流速が低下するおそれがある。
これに対し、第１ダクト及び第２ダクトが、直線状に連通するように形成されていれば、各ダクトの一端側から導入された各冷却空気は、互いに対向する向きで衝突するので、衝突時に冷却空気の大部分を各ダクトの壁面に触れさせずに流すことができる。従って、衝突後の冷却空気が流速を低下させることなく、各流出口から光学素子に向けて流出するので、光学素子をさらに一層効果的に冷却できる。